(57)【特許請求の範囲】
【請求項１】
遊技盤の遊技領域に配設され、電子抽選の結果を可動体の可動態様によって遊技者に示唆する可動役物装置において、
モータを駆動源として初期位置と動作位置との間を回転する駆動アームと、前記駆動アームに連動して該駆動アームと逆方向へ回転する可動体と、前記駆動アームの先端部に前記可動体の基端部を回転可能に連結する連結体と、前記可動体に取り付けられた回路基板と、この回路基板に実装された発光体と、前記回路基板から導出して前記駆動アームに保持された配線部材とを備え、
前記連結体が、平板状の鍔部と、前記鍔部の一面から突出して前記可動体の回転中心となる軸部と、前記鍔部の他面から突出するガイド部とを有すると共に、前記ガイド部を前記軸部に対してオフセットした位置に配設し、前記配線部材を前記鍔部の他面上で前記ガイド部に沿って屈曲させたことを特徴とする可動役物装置。
【請求項２】
請求項１の記載において、前記ガイド部の先端に前記鍔部と対向する規制部を設け、これら鍔部と規制部との間に前記配線部材を配置したことを特徴とする可動役物装置。
【発明の詳細な説明】
【技術分野】
【０００１】
本発明は、電子抽選の結果を可動体の可動態様によって遊技者に示唆する可動役物装置に係り、特に、可動体に取り付けられた回路基板上の発光体に電力を供給する配線部材の引き回し構造に関するものである。
【背景技術】
【０００２】
パチンコ機の中には、遊技盤の盤面をガイドレールによって略円形状の遊技領域に区画すると共に、この遊技領域に可変表示装置や始動入賞口やアタッカ装置等を配設し、遊技領域に向けて発射された遊技球が始動入賞口に入賞したことを契機に電子抽選を行い、その抽選結果に基づいて可変表示装置が図柄の変動表示および停止表示を行うようにした機種が数多く存在する。電子抽選の抽選結果には当たり（当選）とハズレ（非当選）があり、抽選結果が当たりの場合には、可変表示装置の表示画面に所定の特別図柄の組合せが表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
このようなパチンコ機において、可動態様を変化させることができる可動体を可変表示装置の周囲に配置し、電子抽選で当選していることを可動体の可動態様によって遊技者に示唆するようにした可動役物装置が広く採用されており、その一例として、可変表示装置の周囲に上下方向に延びる第１ガイドシャフトと左右方向に延びる第２ガイドシャフトを配置すると共に、第１ガイドシャフトに沿って往復移動する第１可動体と第２ガイドシャフトに沿って往復移動する第２可動体を配置し、これら第１ガイドシャフトと第２ガイドシャフトを個別のモータを駆動源として回転することにより、可変表示装置の前方で第１可動体を上下方向にスライド移動させたり第２可動体を左右方向にスライド移動させるようにした可動役物装置が知られている（例えば、特許文献１参照）。
【０００４】
かかる従来の可動役物装置においては、第１可動体と第２可動体の各端部にＬＥＤ（発光体）を実装した回路基板が取り付けられると共に、ＬＥＤに電力を供給するためのフラットケーブル（配線部材）の両端が回路基板とランプ制御装置とに接続されており、このフラットケーブルに長さ方向の余裕部分を持たせることにより、回路基板のスライド動作がフラットケーブルの伸縮によって吸収されるようになっている。したがって、可変表示装置の前方を上下方向や左右方向へスライド移動する各可動体に対して、その移動位置に拘わらずＬＥＤの光を照射させることができ、各可動体のスライド動作とＬＥＤの光との相乗効果によって興趣性の高い可動役物装置が実現されている。
【先行技術文献】
【特許文献】
【０００５】
【特許文献１】特開２００５−３４６３２号公報
【発明の概要】
【発明が解決しようとする課題】
【０００６】
ところで、前述した従来の可動役物装置のように、可動体が可変表示装置の前方で上下方向や左右方向へスライド移動するだけであると、可動体の動きが単調で直ぐに飽きられてしまうため、可動体をよりダイナミックな動きで可変表示装置の前方に出没させることのできる可動役物装置が要望されている。例えば、駆動アームの先端部にヒンジ部を介して可動体を回転可能に連結し、この駆動アームをモータを駆動源として初期位置と動作位置との間で回転させれば、円弧状の軌跡を描いて移動する駆動アームの先端部で可動体を回転させることができるため、可動体がヒンジ部を支点に回転しながら可変表示装置の前面に出現させるというインパクトに富んだ可動演出を実現できる。しかしながら、このような動きをする可動体に回路基板が取り付けられている場合、回路基板から導出されたフラットケーブル等の配線部材をヒンジ部から駆動アームを経てランプ制御装置まで引き回す必要があるため、駆動アームに対する可動体の回転角度が大きくなると、配線部材がヒンジ部に沿って小さな曲率でＵ字状に屈曲してしまい、その曲げストレスによって配線部材が断線しやすくなるという問題が発生する。
【０００７】
本発明は、このような従来技術の実情に鑑みてなされたもので、その目的は、回路基板が取り付けられた可動体をダイナミックな動きで可動させることができると共に、回路基板から導出する配線部材の曲げストレスを緩和することができる可動役物装置を提供することにある。
【課題を解決するための手段】
【０００８】
上記の目的を達成するために、本発明は、遊技盤の遊技領域に配設され、電子抽選の結果を可動体の可動態様によって遊技者に示唆する可動役物装置において、モータを駆動源として初期位置と動作位置との間を回転する駆動アームと、前記駆動アームに連動して該駆動アームと逆方向へ回転する可動体と、前記駆動アームの先端部に前記可動体の基端部を回転可能に連結する連結体と、前記可動体に取り付けられた回路基板と、この回路基板に実装された発光体と、前記回路基板から導出して前記駆動アームに保持された配線部材とを備え、前記連結体が、平板状の鍔部と、前記鍔部の一面から突出して前記可動体の回転中心となる軸部と、前記鍔部の他面から突出するガイド部とを有すると共に、前記ガイド部を前記軸部に対してオフセットした位置に配設し、前記配線部材を前記鍔部の他面上で前記ガイド部に沿って屈曲させる構成した。
【０００９】
このように構成された可動役物装置では、モータを駆動源として駆動アームが一方向へ回転すると、可動体が連結体の軸部を支点に駆動アームと逆方向へ回転し、それに伴って可動体と駆動アームのなす角度が変化していくため、回路基板が取り付けられた可動体をダイナミックな動きで可動させることができる。その際、回路基板から導出された配線部材は連結体のガイド部に沿って屈曲した状態で駆動アームへ引き回されるが、ガイド部は軸部に対しオフセットした位置に設けられているため、可動体が駆動アームに対して大きな角度で回転した場合でも、配線部材のガイド部に沿う曲率が極端に小さくなることを防止でき、配線部材の屈曲部分に作用する曲げストレスを緩和することができる。
【００１０】
上記の構成において、ガイド部の先端に鍔部と対向する規制部を設け、これら鍔部と規制部との間に配線部材を配置すると、配線部材が鍔部と規制部で挟まれた空間内でガイド部に沿って屈曲されるため、連結体から配線部材が外れにくくなって好ましい。
【発明の効果】
【００１１】
本発明の可動役物装置によれば、モータを駆動源として駆動アームが一方向へ回転すると、可動体が連結体の軸部を支点に駆動アームと逆方向へ回転し、それに伴って可動体と駆動アームのなす角度が変化していくため、回路基板が取り付けられた可動体をダイナミックな動きで可動させることができる。その際、回路基板から導出された配線部材は連結体のガイド部に沿って屈曲した状態で駆動アームへ引き回されるが、ガイド部は軸部に対してオフセット位置に設けられているため、可動体が駆動アームに対して大きな角度で回転した場合でも、配線部材のガイド部に沿う曲率が極端に小さくなることを防止でき、配線部材の屈曲部分に作用する曲げストレスを緩和することができる。
【図面の簡単な説明】
【００１２】
【図１】パチンコ機の外観を示す斜視図である。
【図２】図１に示すパチンコ機の背面図である。
【図３】図１のパチンコ機に備えられる遊技盤ユニットの斜視図である。
【図４】該遊技盤ユニットの正面図である。
【図５】該遊技盤ユニットに備えられる可動役物装置の動作状態を示す正面図である。
【図６】本発明の実施形態例に係る可動役物装置の斜視図である。
【図７】該可動役物装置の正面図である。
【図８】該可動役物装置の背面図である。
【図９】該可動役物装置の平面図である。
【図１０】該可動役物装置の底面図である。
【図１１】該可動役物装置の分解斜視図である。
【図１２】該可動役物装置に備えられる駆動アームが初期位置にある状態を示す正面図である。
【図１３】図１２に対応する背面図である。
【図１４】図１３のＡ部詳細図である。
【図１５】該駆動アームが初期位置と動作位置の途中にある状態を示す正面図である。
【図１６】図１５に対応する背面図である。
【図１７】図１６のＢ部詳細図である。
【図１８】該駆動アームが動作位置の手前にある状態を示す正面図である。
【図１９】図１８に対応する背面図である。
【図２０】図１９のＣ部詳細図である。
【図２１】該駆動アームが動作位置にある状態を示す正面図である。
【図２２】図２１に対応する背面図である。
【図２３】図２２のＤ部詳細図である。
【発明を実施するための形態】
【００１３】
発明の実施の形態について図面を参照して説明すると、図１に示すように、本発明の可動役物装置が適用されたパチンコ機は、遊技場の島設備に設置される縦長方形状の機枠１と、機枠１に扉状に開閉自在に取り付けられた本体枠２と、本体枠２の内側に収容された後述する遊技盤ユニット３と、本体枠２の前面に開閉自在に取り付けられたガラス扉４と、ガラス扉４の下側で本体枠２の前面に開閉自在に取り付けられた前面ボード５と、前面ボード５の右下隅部に取り付けられた発射ハンドル６等を具備しており、前面ボード５には遊技球を収容する受皿７が設けられている。ガラス扉４の中央部には透明なガラス板８が取り付けられており、遊技盤ユニット３の前面はこのガラス板８を通して外部から目視可能となっている。また、ガラス扉４の上部にはスピーカ９が左右に１個ずつ取り付けられており、これらスピーカ９から遊技に関する様々な効果音を発するようになっている。
【００１４】
図２に示すように、遊技盤ユニット３は本体枠２の背面側に露出しており、この遊技盤ユニット３には、主制御処理部１０、特別図柄表示制御部１１、普通図柄表示制御部１２、演出制御処理部１３、ランプ制御処理部１４、音声制御処理部１５等が設けられている。その他、本体枠２の背面側には、支払制御処理部１６、発射制御処理部１７、賞球支払装置１８等が設けられており、これらは遊技盤ユニット３を包囲する適宜位置に配置されている。
【００１５】
図３と図４に示すように、遊技盤ユニット３の前面には合板材からなる遊技盤１９が取り付けられており、遊技盤１９の前面（盤面）は遊技領域２０となっている。この遊技領域２０はガイドレール２１等によって略円形状に区画されており、発射ハンドル６が遊技者によって任意角度に回転操作されると、図示せぬ発射装置が受皿７に保留された遊技球を遊技領域２０に向けて連続的に打ち出すようになっている。遊技領域２０の上部中央付近には中央役物ユニット２２が配設されており、この中央役物ユニット２２は、中央部に矩形状の開口２３ａを有する装飾枠２３と、装飾枠２３の下壁部に配設された後述する可動役物装置２４とを具備している。また、中央役物ユニット２２の裏面側には液晶パネル（ＬＣＤ）からなる可変表示装置２５が配設されており、この可変表示装置２５の表示画面は装飾枠２３の開口２３ａから露出している。
【００１６】
装飾枠２３には開口２３ａの下辺に沿って左右方向へ延びるステージ２６が設けられており、このステージ２６の中央部には誘導溝２６ａが形成されている。この誘導溝２６ａの真下位置には上面に入賞孔を有する単純構造の第１始動入賞口２７が配設されており、ステージ２６上を転動して誘導溝２６ａから落下した遊技球が高い確率で第１始動入賞口２７に入賞するようになっている。第１始動入賞口２７の真下には第２始動入賞口２８が近接配置されており、この第２始動入賞口２８は一対の可動片を有する電動チューリップ構造の始動入賞口となっている。そして、これら始動入賞口２７，２８のいずれか一方に遊技球が入賞すると、それを契機として特別図柄に係る電子抽選が行われ、その抽選結果に基づいて可変表示装置２５の表示画面上で演出用図柄の変動表示および停止表示が行われる。また、中央役物ユニット２２の左側の遊技領域２０には通過チャッカー２９が配設されており、遊技球がこの通過チャッカー２９を通過すると、それを契機として普通図柄に係る電子抽選が行われ、その抽選結果が当たりの場合に第２始動入賞口２８の両可動片を一時的に開放して遊技球の入賞を許可するようになっている。
【００１７】
さらに、第２始動入賞口２８の真下位置における遊技領域２０には第１アタッカ装置３０が配設されており、この第１アタッカ装置３０の右斜め上方には第２アタッカ装置３１が配設されている。内部構造については図示省略されているが、第１アタッカ装置３０は、前面を開口した横長形状の大入賞口や、大入賞口に入賞した遊技球を検知するセンサユニットや、大入賞口の開口を開閉するアタッカ扉や、アタッカ扉を駆動するソレノイド等を具備しており、第２アタッカ装置３１も同様に構成されている。これら両アタッカ装置３０，３１は、第１および第２始動入賞口２７，２８のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が第１の大当たり（例えば通常大当たり）の場合、第１アタッカ装置３０のアタッカ扉が複数回繰り返し開放動作してその大入賞口を露呈させ、特別図柄の抽選結果が第２の大当たり（例えば確変大当たり）の場合、第２アタッカ装置３１のアタッカ扉が複数回繰り返し開放動作してその大入賞口を露呈させる。第１アタッカ装置３０のアタッカ扉は１回の開放動作について例えば３０秒経過するまで、あるいは遊技球が大入賞口に例えば１０個入賞するまで開放状態を維持し、この間で１個の入賞に対して例えば１２個を賞球として払い出し、かかる開放動作を例えば１４回繰り返した後に大当たりが終了する。同様に、第２アタッカ装置３１のアタッカ扉は１回の開放動作について例えば３０秒経過するまで、あるいは遊技球が大入賞口に例えば１０個入賞するまで開放状態を維持し、この間で１個の入賞に対して例えば１５個を賞球として払い出し、かかる開放動作を例えば１６回繰り返した後に大当たりが終了する。
【００１８】
その他、遊技領域２０内には、遊技球の払い出しのみを行う複数の一般入賞口３２や、遊技球の流下経路を担う遊技釘と風車（いずれも図示せず）等が配設されており、いずれの始動入賞口２７，２８や一般入賞口３２にも入賞しなかった遊技球は、遊技領域２０の最下端部に設けられたアウト口３３から遊技盤１９の裏面側に排出されるようになっている。
【００１９】
可動役物装置２４は前述した特別図柄に係る電子抽選の結果を役物の可動態様によって遊技者に示唆することができる装置であり、図６〜図２３に示すように、この可動役物装置２４は、横長形状に形成された金属板製のベース板３４と、ベース板３４にネジ止めにより一体化された合成樹脂製のカバー３５と、ベース板３４に固定された支持板３６と、支持板３６の裏面に取り付けられた第１のモータ３７と、カバー３５の前面左側部に取り付けられた第２のモータ３８と、支持板３６の左右両側部に回転可能に軸支された第１および第２の駆動ギア３９，４０と、支持板３６の裏面下端部に回転可能に軸支された第１および第２の駆動アーム４１，４２と、ベース板３４の左右両側壁に互いに平行な状態で支持された一対のガイドシャフト４３と、両ガイドシャフト４３に沿って左右方向へ移動可能な第１および第２のスライダ４４，４５と、第１の駆動アーム４１および第１のスライダ４４に回転可能に連結された第１の可動体４６と、第２の駆動アーム４２および第２のスライダ４５に回転可能に連結された第２の可動体４７等によって主に構成されている。なお、第１および第２の可動体４６，４７の可動態様との関連を持たせるために、図３〜図５に示すように、装飾枠２３の下壁中央部にステージ２６の真上に位置する半球状の意匠部材２３ｂが取り付けられている。
【００２０】
ベース板３４とカバー３５は両者間に収納スペースを確保した状態で一体化されており、これらベース板３４とカバー３５の一体品はステージ２６の背面側に画成された空間内に設置されている。なお、図１２〜図２３において、ベース板３４とカバー３５は内部構造を明確にするために省略されている。支持板３６はベース板３４の前面中央部に植設された複数本のボス３４ａにネジ止め固定されており、この支持板３６を貫通する第１のモータ３７の出力軸にはギア４８が固着されている。支持板３６の前面には３本の支軸３６ａが植設されており、これら支軸３６ａにアイドラギア４９と第１および第２の駆動ギア３９，４０がそれぞれ回転可能に軸支されている。ギア４８と第２の駆動ギア４０は直接噛合しているが、ギア４８と第１の駆動ギア３９はアイドラギア４９を介して噛合しているため、第１のモータ３７が回転すると第１および第２の駆動ギア３９，４０は互いに逆向きに同期回転する。第１および第２の駆動ギア３９，４０の前面周縁部には円弧状突起３９ａ，４０ａがそれぞれ形成されており、これら円弧状突起３９ａ，４０ａの位置検出用センサとして一対のフォトインタラプタ５０，５１がカバー３５に取り付けられている。また、第１および第２の駆動ギア３９，４０の裏面周縁部にはピン３９ｂ，４０ｂがそれぞれ突設されている。
【００２１】
第２のモータ３８の出力軸はカバー３５を貫通して前記収納スペース内に突出しており、この収納スペース内において第２のモータ３８の出力軸に固着されたギア５２が第１の駆動ギア３９と噛合している。したがって、第１の駆動ギア３９は第１のモータ３７と第２のモータ３８の両方からの駆動力を受けて回転することになるが、第２のモータ３８は第１のモータ３７のトルク不足を補うものであるため、例えば、第１のモータ３７として高トルクの大型モータを用いた場合や、第１のモータ３７を駆動源とする動力伝達系の負荷トルクが小さい場合は、第２のモータ３８を省略して第１のモータ３７のみで両駆動ギア３９，４０を回転することも可能である。
【００２２】
第１および第２の駆動アーム４１，４２は裏面側を開放した断面凹状の長尺体であり、これら駆動アーム４１，４２の裏面側にはそれぞれ蓋体５３，５４がネジ止め固定されている。第１の駆動アーム４１の長手方向の両端部には軸孔４１ａ，４１ｂが形成されており、一方の軸孔４１ａは支持板３６の裏面に植設された円筒状の支柱（第３の軸部）５５に挿入されている。同様に、第２の駆動アーム４２の長手方向の両端部には軸孔４２ａ，４２ｂが形成されており、一方の軸孔４２ａは支持板３６の裏面に植設された円筒状の支柱（第３の軸部）５６に挿入されている。また、第１および第２の駆動アーム４１，４２の側部には長孔形状のカム孔４１ｃ，４２ｃが形成されており、第１の駆動アーム４１のカム孔４１ｃは第１の駆動ギア３９のピン３９ｂに挿入され、第２の駆動アーム４２のカム孔４２ｃは第２の駆動ギア４０のピン４０ｂに挿入されている。これにより、第１および第２の駆動ギア３９，４０が逆向きに同期回転すると、各ピン３９ｂ，４０ｂが対応するカム孔４１ｃ，４２ｃ内を移動し、それに伴って第１および第２の駆動アーム４１，４２がそれぞれ支柱５５，５６を支点として回転するようになっている。
【００２３】
第１のスライダ４４の上下両端部には軸孔４４ａとガイド孔４４ｂが形成されており、このガイド孔４４ｂは下段側のガイドシャフト４３に挿入されている。また、第１のスライダ４４の裏面側には保持板５７がネジ止め固定されており、両者４４，５７間に軸支された４つのローラ５８のうち、対をなす２つのローラ５８同士が上段側のガイドシャフト４３を挟んで対向している。同様に、第２のスライダ４５の上下両端部には軸孔４５ａとガイド孔４５ｂが形成されており、このガイド孔４５ｂは下段側のガイドシャフト４３に挿入されている。また、第２のスライダ４５の裏面側には保持板５９がネジ止め固定されており、両者４５，５９間に軸支された４つのローラ６０のうち、対をなす２つのローラ６０同士が上段側のガイドシャフト４３を挟んで対向している。なお、これらガイドシャフト４３とガイド孔４４ｂ，４５ｂおよびローラ５８，６０等により、第１および第２のスライダ４４，４５をスライド可能にガイドするガイド手段が構成されている。
【００２４】
第１の可動体４６は全体的に正面視半リング状に形成されており、その裏面側には略同形状の回路基板６１が取り付けられている。第１の可動体４６は、合成樹脂の外表面に金属メッキを施した遮光性の外装部４６ａと、外装部４６ａの前面から一部を露出する光透過性樹脂の内装部４６ｂと、内装部４６ｂの裏面に配置された光透過性樹脂の意匠部４６ｃとで構成されており、回路基板６１は内装部４６ｂと意匠部４６ｃを介して外装部４６ａにネジ止め固定されている。回路基板６１の前面にはコネクタ６２と多数のＬＥＤ（発光体）６３が実装されており、これらＬＥＤ６３の光が内装部４６ｂと意匠部４６ｃを透過して第１の可動体４６の前方へ照射されるようになっている。また、コネクタ６２にはＬＥＤ６３に電力を供給するための後述するワイヤーハーネス（配線部材）Ｗが接続されており、このワイヤーハーネスＷは第１の駆動アーム４１の内部空間を通って前述したランプ制御処理部１４に接続されている。
【００２５】
第１の可動体４６と第２の可動体４７は可変表示装置２５の表示画面の中心を通る垂線Ｌ（図７参照）に関して線対称な左右位置に配置されており、両者４６，４７は対称形状であるという点を除いて基本的に同様に構成されている。すなわち、第２の可動体４７も全体的に正面視半リング状に形成されており、その裏面側には同形状の回路基板６４が取り付けられている。第２の可動体４７は、合成樹脂の外表面に金属メッキを施した遮光性の外装部４７ａと、外装部４７ａから一部を露出する光透過性樹脂の内装部４７ｂと、内装部４７ｂの裏面に配置された光透過性樹脂の意匠部４７ｃとで構成されており、回路基板６４は内装部４７ｂと意匠部４７ｃを介して外装部４７ａにネジ止めされている。回路基板６４の前面にはコネクタ６５と多数のＬＥＤ（発光体）６６が実装されており、これらＬＥＤ６５の光が内装部４７ｂと意匠部４７ｃを透過して第２の可動体４７の前方へ照射されるようになっている。このコネクタ６５にもワイヤーハーネスＷが接続されており、このワイヤーハーネスＷは第２の駆動アーム４２の内部空間を通って前述したランプ制御処理部１４に接続されている。
【００２６】
第１の可動体４６の内装部４６ｂの基端部には内側突壁４６ｄと外側突壁４６ｅが形成されており、内側突壁４６ｄは連結体６７を用いて第１の駆動アーム４１の先端側の軸孔４１ｂに回転可能に連結されている。この連結体６７は、平板状の鍔部６７ａと、鍔部６７ａの一面から前方へ突出する軸部（第１の軸部）６７ｂと、鍔部６７ａの他面で軸部６７ｂに対してオフセットした位置から後方へ突出するガイド部６７ｃとを有しており、軸部６７ｂを第１の駆動アーム４１の軸孔４１ｂに挿入して内側突壁４６ｄにネジ止めすることにより、第１の可動体４６は軸部６７ｂを介して第１の駆動アーム４１の先端部に回転可能に連結されている。また、ガイド部６７ｃの先端に平板状の規制部６７ｄがネジ止め固定されており、この規制部６７ｄと鍔部６７ａはガイド部６７ｃの長さ相当のスペースを介して対向している。そして、これら規制部６７ｄと鍔部６７ａおよびガイド部６７ｃによって区画された空間内を前述したワイヤーハーネスＷの通過路として用いることにより、ワイヤーハーネスＷが連結体６７から外れないようにしている。一方、内装部４６ｂの外側突壁４６ｅには軸状体（第２の軸部）６８がネジ止めされており、この軸状体６８を第１のスライダ４４の軸孔４４ａに挿入することにより、第１の可動体４６は軸状体６８を介して第１のスライダ４４の上端部に回転可能に連結されている。
【００２７】
同様に、第２の可動体４７の内装部４７ｂの基端部には内側突壁４７ｄと外側突壁４７ｅが形成されており、内側突壁４７ｄは連結体６９を用いて第２の駆動アーム４２の先端側の軸孔４２ｂに回転可能に連結されている。この連結体６９は、平板状の鍔部６９ａと、鍔部６９ａの一面から前方へ突出する軸部（第１の軸部）６９ｂと、鍔部６９ａの他面で軸部６９ｂに対してオフセットした位置から後方へ突出するガイド部６９ｃとを有しており、軸部６９ｂを第２の駆動アーム４２の軸孔４２ｂに挿入して内側突壁４７ｄにネジ止めすることにより、第２の可動体４７は軸部６９ｂを介して第２の駆動アーム４２の先端部に回転可能に連結されている。また、ガイド部６９ｃの先端に平板状の規制部６９ｄがネジ止めされており、この規制部６９ｄと鍔部６９ａはガイド部６９ｃの長さ相当のスペースを介して対向している。そして、これら規制部６９ｄと鍔部６７ａおよびガイド部６９ｃによって区画された空間内を前述したワイヤーハーネスＷの通過路として用いることにより、ワイヤーハーネスＷが連結体６９から外れないようにしている。一方、内装部４７ｂの外側突壁４７ｅには軸状体（第２の軸部）７０がネジ止めされており、この軸状体７０を第２のスライダ４５の軸孔４５ａに挿入することにより、第２の可動体４７は軸状体７０を介して第２のスライダ４５の上端部に回転可能に連結されている。
【００２８】
このように構成されたパチンコ機において、図４に示すように、通常、可動役物装置２４は非動作状態に維持されており、第１および第２の可動体４６，４７の各意匠部４６ｃ，４７ｃと装飾枠２３の意匠部材２３ｂとがステージ２６の後方位置に横一列に並んでいる。図１２と図１３はかかる可動役物装置２４の非動作状態を示し、この場合、第１および第２の駆動アーム４１，４２は両者の開き角度を最大にした初期位置で停止しており、当該位置は第１の駆動ギア３９の円弧状突起３９ａがフォトインタラプタ５０の光路を横切ることで正確に検出される。このとき、第１および第２の駆動アーム４１，４２の回動支点である支柱（第３の軸部）５５，５６に対して軸状体（第２の軸部）６８，７０の方が軸部（第１の軸部）６７ｂ，６９ｂよりも遠く離れているため、第１および第２の可動体４６，４７は基端部を外側に向けた横臥姿勢に保持されると共に、第１および第２のスライダ４４，４５はガイドシャフト４３の左右両端部で停止している。また、このように第１および第２の駆動アーム４１，４２が初期位置で停止しているとき、コネクタ６２，６５と連結体６７，６９の軸部６７ｂ，６９ｂを結ぶ直線は駆動アーム４１，４２の長手方向の軸線に対して小さい角度で交差しているため、換言すると、両可動体４６，４７と両駆動アーム４１，４２の相対角度が小さい状態となっているため、図１４から明らかなように、両回路基板６１，６４のコネクタ６２，６５から導出されたワイヤーハーネスＷは連結体６７，６９をほぼ直線状に通過して両駆動アーム４１，４２へと至っている。
【００２９】
この状態で第１および第２のモータ３７，３８を正逆いずれか一方向へ回転すると、第１および第２の駆動ギア３９，４０が互いに逆向きに同期回転し、それに伴って駆動ギア４０のピン３９ｂ，４０ｂが対応する駆動アーム４１，４２のカム孔４１ｃ，４２ｃ内を移動するため、図１５と図１６に示すように、両駆動アーム４１，４２が支柱５５，５６を中心に初期位置から動作位置に向かって回転し始める。その際、第１および第２のスライダ４４，４５はガイドシャフト４３の端部から中央部に向かってスライド移動するため、支柱５５，５６から軸状体６８，７０までの距離が支柱５５，５６を中心とする軸部６７ｂ，６９ｂの回転半径に対して次第に近付いていき、第１および第２の可動体４６，４７は対応する駆動アーム４１，４２と逆向きに回転しながら可変表示装置２５の前面に出現していく。また、両駆動アーム４１，４２が初期位置から図１６に示す位置まで回転すると、両可動体４６，４７と両駆動アーム４１，４２の相対角度が次第に大きくなっていくが、図１７に示すように、連結体６７，６９を通過するワイヤーハーネスＷは軸部６７ｂ，６９ｂに対してオフセット位置に設けられたガイド部６７ｃ，６９ｃの周面に沿って緩やかに屈曲するため、この時点でワイヤーハーネスＷの屈曲部分に曲げストレスはほとんど作用しない。
【００３０】
引き続いて第１および第２のモータ３７，３８を同方向へ回転すると、図１８と図１９に示すように、支柱５５，５６から軸状体６８，７０までの距離が支柱５５，５６を中心とする軸部６７ｂ，６９ｂの回転半径よりも短くなり、第１および第２の可動体４６，４７は可変表示装置２５の前面で互いの先端部と基端部同士を対面させた起立姿勢となる。この間、第１および第２の可動体４６，４７は互いの基端側を近付けながら回転していくため、左右方向の長さ寸法が大きな第１および第２の可動体４６，４７であっても、これら可動体４６，４７を装飾枠２３の左右両側部と干渉することなく可変表示装置２５の前方へ出現させることができる。なお、両駆動アーム４１，４２が初期位置から図１９に示す位置まで回転すると、図２０に示すように、両可動体４６，４７と両駆動アーム４１，４２の相対角度はかなり大きくなるが、この時点でもガイド部６７ｃ，６９ｃの周面に沿って屈曲するワイヤーハーネスＷには曲げストレスはほとんど作用しない。
【００３１】
このようにして第１および第２の可動体４６，４７が可変表示装置２５の前面で起立した後、さらに第１および第２のモータ３７，３８を同方向へ回転すると、両駆動アーム４１，４２は動作位置に向かって回転を続行し、第２の駆動ギア４０の円弧状突起４０ａがフォトインタラプタ５１の光路を横切る位置まで回転すると、両モータ３７，３８の回転が停止して両駆動アーム４１，４２は動作位置で停止する。この間、軸部６７ｂ，６９ｂは駆動アーム４１，４２の回動支点である支柱５５，５６の真上付近を移動するため、第１および第２の可動体４６，４７は起立姿勢を保ったまま近接方向へ移動し、図２１と図２２に示すように、両駆動アーム４１，４２が動作位置まで回転すると、第１および第２の可動体４６，４７は互いの先端部と基端部同士を当接させた状態で停止し、可動役物装置２４は第１および第２の可動体４６，４７同士をリング状に突き合わせた動作状態となる（図５参照）。なお、このように駆動アーム４１，４２が動作位置まで回転すると、図２３に示すように、両可動体４６，４７と両駆動アーム４１，４２の相対角度は最大となるが、ワイヤーハーネスＷは軸部６７ｂ，６９ｂに対してオフセットしたガイド部６７ｃ，６９ｃの周面に沿って屈曲されるため、この時点でもワイヤーハーネスＷの屈曲部分に作用する曲げストレスは緩和されている。
【００３２】
また、第１および第２の可動体４６，４７が図２１と図２２に示す動作状態にあるとき、第１および第２のモータ３７，３８を上記と逆方向に回転すると、第１および第２の駆動アーム４１，４２は動作位置から初期位置に向かって回転し、それに伴って第１および第２の可動体４６，４７が起立姿勢から横臥姿勢に戻ると共に、第１および第２のスライダ４４，４５がガイドシャフト４３の中央部からスライド移動して端部で停止する。
【００３３】
以上説明したように、本実施形態例に係る可動役物装置２４では、モータ３７，３８を駆動源として駆動アーム４１，４２が一方向へ回転すると、可動体４６，４７が連結体６７，６９の軸部６７ｂ，６９ｂを支点として駆動アーム４１，４２と逆方向へ回転し、それに伴って可動体４６，４７と駆動アーム４１，４２の相対角度が変化していくため、回路基板６１，６４が取り付けられた可動体４６，４７をダイナミックな動きで可変表示装置２５の前面に出没させることができる。その際、回路基板６１，６４のコネクタ６２，６５から導出されたワイヤーハーネスＷは連結体６７，６９のガイド部６７ｃ，６９ｃに沿って屈曲した状態で駆動アーム４１，４２へ引き回されるが、連結体６７，６９のガイド部６７ｃ，６９ｃが軸部６７ｂ，６９ｂに対してオフセット位置に設けられているため、可動体４６，４７が駆動アーム４１，４２に対して大きく回転した場合でも、ワイヤーハーネスＷのガイド部６７ｃ，６９ｃに沿う曲率が極端に小さくなることを防止でき、ワイヤーハーネスＷの屈曲部分に作用する曲げストレスを緩和することができる。
【００３４】
また、連結体６７，６９のガイド部６７ｃ，６９ｃの先端に鍔部６７ａ，６９ａと対向する規制部６７ｄ，６９ｄをネジ止め固定し、これら鍔部６７ａ，６９ａと規制部６７ｄ，６９ｄおよびガイド部６７ｃ，６９ｃで区画された空間内にワイヤーハーネスＷを配置しているため、ワイヤーハーネスＷが鍔部６７ａ，６９ａと規制部６７ｄ，６９ｄで挟まれた空間内でガイド部６７ｃ，６９ｃに沿って屈曲されることになり、規制部６７ｄ，６９ｄによってワイヤーハーネスＷが連結体６７，６９から脱落しにくくなっている。この場合、規制部６７ｄ，６９ｄはガイド部６７ｃ，６９ｃ等と共に連結体６７，６９に一体成形するようにしても良い。
【００３５】
なお、上記実施形態例では、駆動アーム４１，４２やスライダ４４，４５を含む駆動機構を用いて一対の可動体４６，４７を可変表示装置２５の前面に出没させる可動役物装置２４について説明したが、可動体の数や駆動機構はこれに限定されず、要は、モータを駆動源として初期位置と動作位置との間を回転する駆動アームの先端部に、該駆動アームと逆方向へ回転する可動体が連結体を介して回転可能に連結されていれば良い。
【００３６】
また、上記実施形態例では、配線部材としてワイヤーハーネスＷを用いた場合について説明したが、ワイヤーハーネスの代わりに帯状のフラットケーブルを用いることも可能である。
【符号の説明】
【００３７】
３  遊技盤ユニット
１４  ランプ制御処理部
１９  遊技盤
２０  遊技領域
２２  中央役物ユニット
２３  装飾枠
２３ａ  開口
２４  可動役物装置
２５  可変表示装置
３４  ベース板
３７  第１のモータ
３８  第２のモータ
３９  第１の駆動ギア
４０  第２の駆動ギア
４１  第１の駆動アーム
４２  第２の駆動アーム
４４  第１のスライダ
４５  第２のスライダ
４６  第１の可動体
４７  第２の可動体
５５，５６  支柱
６１，６４  回路基板
６２，６５  コネクタ
６３，６６  ＬＥＤ（発光体）
６７，６９  連結体
６７ａ，６９ａ  鍔部
６７ｂ，６９ｂ  軸部
６７ｃ，６９ｃ  ガイド部
６７ｄ，６９ｄ  規制部
６８，７０  軸状体
Ｗ  ワイヤーハーネス（配線部材）
【図１】
0005567371.tif 000002
【図２】
0005567371.tif 000003
【図３】
0005567371.tif 000004
【図４】
0005567371.tif 000005
【図５】
0005567371.tif 000006
【図６】
0005567371.tif 000007
【図７】
0005567371.tif 000008
【図８】
0005567371.tif 000009
【図９】
0005567371.tif 000010
【図１０】
0005567371.tif 000011
【図１１】
0005567371.tif 000012
【図１２】
0005567371.tif 000013
【図１３】
0005567371.tif 000014
【図１４】
0005567371.tif 000015
【図１５】
0005567371.tif 000016
【図１６】
0005567371.tif 000017
【図１７】
0005567371.tif 000018
【図１８】
0005567371.tif 000019
【図１９】
0005567371.tif 000020
【図２０】
0005567371.tif 000021
【図２１】
0005567371.tif 000022
【図２２】
0005567371.tif 000023
【図２３】
0005567371.tif 000024